(57)【特許請求の範囲】
【請求項１】
交流電圧をランプに印加してランプの交流駆動を行うランプ点灯装置であって、
電流経路に接続されたランプと、
前記ランプの起動時に前記電流経路を介して前記ランプに高電圧を印加するイグナイタ回路と、
前記ランプの交流駆動時に前記電流経路を介して前記ランプに交流電圧を印加する交流駆動回路と、
前記イグナイタ回路は、高電圧を発生させるためのトランスを含み、当該トランスの２次側のインダクターが前記ランプに直列に接続されており、
前記交流駆動回路は、直流電圧を交流電圧に変換するＣＭＯＳインバータ回路を含み、ＣＭＯＳインバータ回路からの出力が前記電流経路に接続されており、
ランプ点灯装置はさらに、前記電流経路内において前記２次側のインダクターと直列に接続される少なくとも１つの抵抗と、
前記少なくとも１つの抵抗と並列に接続されるスイッチ手段とを有し、
前記スイッチ手段は、前記イグナイタ回路により前記ランプを起動するとき前記少なくとも１つの抵抗が短絡されるようにスイッチを閉じ、前記交流駆動回路により前記ランプを交流駆動するとき、前記交流駆動回路の交流駆動電圧の周波数に同期し、交流駆動電圧の立ち上がりと立下りとの間の過渡期間において前記少なくとも１つの抵抗が接続されるようにスイッチを開く、ランプ点灯装置。
【請求項２】
前記ＣＭＯＳインバータ回路は、前記過渡期間において、トランジスタがオフする期間を含み、前記スイッチ手段は、前記オフする期間よりも長い期間だけスイッチを開く、請求項１に記載のランプ点灯装置。
【請求項３】
前記２次側のインダクターと前記少なくとも１つの抵抗とを含む電流通路における過渡応答時の時定数を２０マイクロ秒以下にする、請求項１または２に記載のランプ点灯装置。
【請求項４】
前記トランスおよび前記少なくとも１つの抵抗は絶縁性樹脂材内に収容される、請求項１ないし３いずれかに記載のランプ点灯装置。
【請求項５】
前記少なくとも１つの抵抗は、前記絶縁性樹脂外に接続された外部抵抗を含む、請求項４に記載のランプ点灯装置。
【請求項６】
前記外部抵抗の抵抗値は前記絶縁性樹脂内の抵抗の抵抗値の少なくとも１０倍以上である、請求項５に記載のランプ点灯装置。
【請求項７】
前記スイッチ手段は、半導体素子を用いたスイッチを含む、請求項１に記載のランプ点灯装置。
【請求項８】
前記電流経路にはさらに、ノイズを除去するためのインダクター、前記ランプの駆動時に電力を蓄積可能なインダクター、および共振用インダクターの少なくとも１つが接続される、請求項１に記載のランプ点灯装置。
【請求項９】
前記ランプ点灯装置は、光を投射するプロジェクタに用いられる、請求項１ないし８いずれか１つに記載のランプ点灯装置。
【発明の詳細な説明】
【０００１】
【発明の属する技術分野】
本発明はランプ点灯装置及びこれを用いたプロジェクタに関し、特に、液晶デバイスやＤＭＤ（Ｄｉｇｉｔａｌ  Ｍｉｒｒｏｒ  Ｄｅｖｉｃｅ）を用いたプロジェクタに用いられる放電ランプの点灯装置に関する。
【０００２】
【従来の技術】
液晶デバイスやＤＭＤを用いて画像を光学的に投射し表示させるプロジェクタの光源として、キセノンランプ、メタルハライドランプ、超高圧水銀ランプなどの放電ランプが用いられている。これらの放電ランプは、そのガスや金属によって分光分布、輝度分布、配光分布、電気特性等を異にし、プロジェクタの設計仕様に適したランプが選択される。また、放電ランプの電極は、ショートアークランプが望ましく、これは非常に高い放射輝度を発生することによる。
【０００３】
一般に放電ランプを点灯させるには、（１）ランプ起動時にランプ電極間に高電圧を印加して絶縁破壊を起こし放電路を形成するステップ、（２）ランプの電極間にグロー放電電流を流しアーク放電に移行させるステップ、（３）アーク放電を安定化させそれを維持するステップを必要とする。このため、放電ランプを点灯させる点灯装置は、放電ランプの起動を行うイグナイタ回路と放電ランプへ安定的に電力を供給する回路とを含んで構成される。
【０００４】
図８は従来のプロジェクタに用いられる一般的なランプ点灯方式の一構成例を示すブロック図である。同図において、ランプ点灯装置は、交流電源２１０からの交流電圧を整流・平滑化する整流・平滑化回路２２０、放電ランプ２８０に安定的な電力を供給する電力供給回路２３０、電力供給回路２３０の電力供給を制御するＰＷＭ制御回路２４０、放電ランプ２８０をＡＣ駆動するＡＣ駆動回路２５０、各部の制御を行う制御回路部２６０、および放電ランプ２８０の起動（若しくは点火）を行うためのイグナイタ回路２７０を含む。
【０００５】
交流電源２１０からの交流電圧は整流・平滑化回路２１０により直流電圧に変換され、この直流電圧は、ＰＷＭ制御回路２４０の制御により電力供給回路２３０において昇圧または降圧される。電力供給回路２３０の出力端はＡＣ駆動回路２５０に接続され、制御部２６０は、ＰＷＭ制御回路２４０およびＡＣ駆動回路２５０を制御し、放電ランプ２８０を起動させかつＡＣ駆動させる。
【０００６】
【発明が解決しようとする課題】
しかしながら、従来のランプ点灯装置には次のような課題がある。図９にイグナイタ回路２７０の一構成例を示す。放電ランプ２８０の起動時、ＰＷＭ制御回路２４０によって制御された電力供給回路２３０は約２５０ないし３７０ボルトの電圧を供給し、この電圧はＡＣ駆動回路２５０を介してイグナイタ回路２７０に供給される。ＡＣ駆動回路２５０の高電位側出力からダイオード２７１を介してコンデンサ２７２に電流が蓄積され、この電圧が一定値を超えるとトリガー素子２７３が導通し、トランス２７４の一次側コイルに電流が流され、これによって二次側コイルに発生された電流がダイオード２７５を介してコンデンサ２７６に充電される。コンデンサ２７６の電圧がバリスタ２７７のしきい値を越えると、トランス２７８の一次側コイルに電流が流れ、これによって二次側コイルに非常に高い十数キロボルトの電圧が発生される。そして、放電ランプ２８０の端子間に絶縁破壊が生じ、グロー放電が開始される。
【０００７】
放電ランプ２８０の起動（点火）後、電力供給回路２３０の出力端はランプ放電初期電圧に降圧され、その直流電圧はＡＣ駆動回路２５０によって交流電圧に変換され、放電ランプ２８０のＡＣ駆動が行われる。ＡＣ駆動回路２５０の出力端と放電ランプ２８０との間の電流通路内には、トランス２７８の二次側コイルＬａが介在し（あるいは、これ以外にノイズ除去用のインダクター、共振用インダクターあるいは電力蓄積用のインダクターが存在することがある）、インダクターＬａの介在により、リンギング、オーバーシュートあるいはアンダーシュートが生じ、図１０に示すようにランプ駆動電流の過渡応答時間が緩やかとなる。すなわちランプ駆動電流の立上りと立下りが緩やかとなり、結果としてその立上りと立下がり期間Ｔｄが長くなってしまう。期間Ｔｄが長くなると、放電ランプの光量に明暗が発生し、この状態でプロジェクタの光源に使用されると、投影画像にチラツキが発生したり、またプロジェクタの映像同期信号Ｈ、Ｖとの関係で、映像にビート等の映像ノイズが生じたり、グレースケールにおいてはスムースな階調等を再現することができないという課題がある。
【０００８】
特に、単板式ＤＬＰを用いたプロジェクタにおいて、放電ランプ２８０のＡＣ駆動のタイミングは、放電ランプの白色光からＲ、Ｇ、Ｂ（又はＲＧＢＷ）の波長の光を取り出すタイミングと同期させる必要がある。つまり、Ｒ、Ｇ、Ｂのカラーフィルターを配列したカラーホイールを回転させ、これに放電ランプからの白色光を入射させるとき、カラーフィルターの境界において必ずしもＲ、Ｇ、Ｂの純粋な波長が得られず混在した波長が存在するため、この境界部分とランプ駆動電流の極性を反転させるタイミングとを同期させている。このため、インダクターによるランプ駆動電流の立上りや立下りが緩やかでその期間Ｔｄ時間が長いと、その期間において有効な光量を得ることができない等不便であった。また、ランプのＡＣ駆動周波数をカラーフィルターの回転と同期させる必要があるため、ランプの最適駆動周波数に合わせることができなく、ランプ寿命の短命化やアークのチラツキ等が発生するといった不都合があった。
【０００９】
そこで本発明は上記従来技術の課題を解決し、ランプのＡＣ駆動時においてランプ駆動電流の過渡応答時間を速くしたランプ点灯装置を提供することを目的とする。
本発明の他の目的は、ランプ駆動電流の立上りと立下りを急峻にし、立上りと立下りの期間を映像処理時間に比較して十分に短くでき、またオーバーシュートやリンギング等を軽減することができるようなランプ点灯装置およびこれを用いたプロジェクタを提供することである。
本発明の他の目的は、映像信号についての画像処理時間やカラーフィルターの動作と非同期で動作可能なランプ点灯装置を提供することである。
本発明の他の目的は、ランプの寿命や特性に合った最適周波数でランプをＡＣ駆動することが可能なランプ点灯装置を提供することである。
本発明に他の目的は、投射映像にチラツキや映像ノイズの発生を抑制したプロジェクタを提供することである。
【００１０】
【課題を解決するための手段】
本発明に係るランプ点灯装置は、交流電圧をランプに印加してランプの交流駆動を行うものであって、電流経路に接続されたランプと、前記ランプの起動時に前記電流経路を介して前記ランプに高電圧を印加するイグナイタ回路と、前記ランプの交流駆動時に前記電流経路を介して前記ランプに交流電圧を印加する交流駆動回路と、前記イグナイタ回路は、高電圧を発生させるためのトランスを含み、当該トランスの２次側のインダクターが前記ランプに直列に接続されており、前記交流駆動回路は、直流電圧を交流電圧に変換するＣＭＯＳインバータ回路を含み、ＣＭＯＳインバータ回路からの出力が前記電流経路に接続されており、ランプ点灯装置はさらに、前記電流経路内において前記２次側のインダクターと直列に接続される少なくとも１つの抵抗と、前記少なくとも１つの抵抗と並列に接続されるスイッチ手段とを有し、前記スイッチ手段は、前記イグナイタ回路により前記ランプを起動するとき前記少なくとも１つの抵抗が短絡されるようにスイッチを閉じ、前記交流駆動回路により前記ランプを交流駆動するとき、前記交流駆動回路の交流駆動電圧の周波数に同期し、交流駆動電圧の立ち上がりと立下りとの間の過渡期間において前記少なくとも１つの抵抗が接続されるようにスイッチを開く。好ましくは前記ＣＭＯＳインバータ回路は、前記過渡期間において、トランジスタがオフする期間を含み、前記スイッチ手段は、前記オフする期間よりも長い期間だけスイッチを開く。
【００１１】
好ましくは前記２次側のインダクターと前記少なくとも１つの抵抗とを含む電流通路における過渡応答時の時定数を２０マイクロ秒以下にする。実験的および経験則から２０マイクロ秒以下の時定数とすることで、ＲＬ直列回路における過渡現象が速く収束する。つまり、ランプへの駆動電流の立上り・立下りが速くなり、その期間Ｔｄを小さくすることができる。またこれによって、映像同期信号（Ｈ、Ｖ）との関係により映像ノイズを無視することができる。
【００１２】
前記トランスおよび前記少なくとも１つの抵抗は、前記インダクターの巻線抵抗値を選択することにより得るようにしてもよい。巻線抵抗値は、おおよそ１オーム以下に選定されることが望ましい。これは、発熱及び高圧印加時において抵抗による電力の損失を防ぐためである。
【００１３】
前記トランス及び前記少なくとも１つの抵抗は絶縁性樹脂コンパウンド内に収容されるようにしてもよい。絶縁性樹脂コンパウンドは、例えはシリコンコンパウンドである。抵抗は、インダクターの巻線抵抗であっても、それに代えて別個に抵抗を設けてもよい。抵抗値は１オーム以下であることが望ましい。抵抗が大きいと、そこを流れる電流による発熱が生じ、その部分の熱膨張が原因でコンパウンドにクラックが生じてしまうからである。
【００１５】
前記外部抵抗の抵抗値は前記絶縁性樹脂内の抵抗の抵抗値の少なくとも１０倍以上であることが望ましい。絶縁性樹脂内の抵抗を小さくして樹脂内での発熱を小さくし、外部抵抗によって時定数を小さくし、過渡応答を速くする。
【００１６】
本発明では、抵抗と並列にスイッチ手段が接続され、該スイッチ手段は前記交流駆動電圧の周波数に同期し、前記交流駆動電圧の過渡期間中に抵抗に電流を流させる。つまり、交流電圧の過渡期間中に抵抗を働かせ、駆動電流の立上り・立下りを急峻にし、それ以外の期間は抵抗を短絡させ、無駄な損失を抑制する。前記スイッチ手段は、半導体スイッチング素子を用いることができ、好ましくはＧＴＯサイリスタを用いることができる。但し、それ以外にＭＯＳトランジスタやバイポーラトランジスタ等を使用しても良い。
【００１８】
前記電流経路にはさらに、ノイズを除去するためのインダクター、前記ランプの駆動時に電力を蓄積可能なインダクター、および共振用インダクターの少なくとも１つが接続されるようにしてもよい。
【００２０】
好ましくは前記ランプ点灯装置は、光を投射するプロジェクタに用いられる。プロジェクタは、例えば、ランプと、前記ランプを点灯させるためのランプ点灯装置と、前記ランプからの光を少なくともＲ、Ｇ、Ｂの波長を有する光に分別する分別手段と、前記分別手段からの光を変調する変調手段と、前記変調手段によって変調された光を投射する投射手段とを備える。
【００２１】
ランプ点灯装置におけるＡＣ駆動電流の立上り・立下りを急峻にすることで、ランプの光量ムラを抑制し、投影画像のチラツキや映像ノイズを抑制した鮮明な画像を映し出すことができる。
【００２２】
上記の駆動回路は分別手段と非同期に動作される。好ましくは、分別手段は、少なくともＲ、Ｇ、Ｂの波長の光を分別可能なカラーフィルターを備え、該カラーフィルターを回転させることにより前記ランプからの光を順次Ｒ、Ｇ、Ｂの光に変換する。また変調手段は、ライトバルブを含み、該ライトバルブはＤＭＤである。
【００２３】
駆動回路を分別手段と非同期とすることで、駆動回路におけるＡＣ駆動電流の周波数は、カラーホイールの回転動作による制約を受けないため、ランプの寿命や特性に合った最適周波数を設定することができる。
【００２４】
次に本発明の基本的概念およびその作用について説明する。図１（ａ）は、本発明に係るランプ点灯装置においてＡＣ駆動されるランプに接続された電流通路にインダクターと抵抗とを含む回路を等価的なＲＬ直列回路で表したものである。
【００２５】
ＲＬ直列回路１は、電源Ｅと直列に接続された抵抗Ｒ、インダクターＬ、及びスイッチＳＷとを有する。スイッチＳＷの共通端子Ｃを端子Ｔ１または端子Ｔ２に切り替えることでＲＬ直列回路に過渡現象が生じ、これはランプを交流駆動するときの電流通路のインダクター及び抵抗の過渡現象と等価である。
【００２６】
ＲＬ直列回路１においてスイッチＳＷのコモン端子Ｃが端子Ｔ１に接続されると、電源ＥからＲ、Ｌへ向けて電流ｉが流れ、その過渡応答は次式により表される。
0004265732.tif 000002
（１）式の微分方程式を解くと（２）式となる。
0004265732.tif 000003
時定数をＴ＝Ｌ／Ｒ（ｓ）とすると、ｉ＝（Ｅ／Ｒ）×０．６３２となる。
図１（ｂ）は(２)式の指数曲線を示し、Ｔ＝Ｌ／Ｒのとき、電流ｉが６３．２％の大きさにある。時定数Ｔの値が小さいほど、過渡現象が速く収束することがわかる。言い換えれば、Ｒを大きくすれば、Ｔ＝Ｌ／Ｒが小さくなり過渡応答が速くなる。
【００２７】
次に、スイッチＳＷのコモン端子Ｃを端子Ｔ２に接続すると、上記とは反対方向に電流ｉが流れ、そのときの過渡応答は（３）式で表される。
0004265732.tif 000004
0004265732.tif 000005
（３）式の微分方程式を解くと（４）式となり、その指数曲線を図１（ｃ）に示す。上記と同様に時定数Ｔ＝Ｌ／Ｒを小さくすることで過渡応答の収束が速くなる。
【００２８】
本発明では、上記ＲＬ直列回路１における過渡現象あるいは過渡応答をランプ点灯装置に適用する。すなわち、本発明に係るランプ点灯装置において、ランプに交流駆動電流を印加する電流通路内に含まれるインダクターと直列に抵抗を設けることによって、交流駆動電流の立上り・立下りを急峻にし、その過渡応答を速くするものである。
【００２９】
【発明の実施の形態】
以下、本発明の実施の形態について図面を参照して詳細に説明する。
図２は、本発明の第1の実施の形態に係るランプ点灯装置の回路を示す図である。第１の実施の形態に係るランプ点灯装置は、いわゆるＡＣ点灯方式であり、交流電源１０からの交流電圧を整流・平滑化する整流・平滑化回路２０と、平滑化された直流電圧を降圧し放電ランプへの電力を供給する電力供給回路３０と、電力供給回路３０の電力供給を制御するＰＷＭ制御回路４０と、電力供給回路３０から供給される直流電圧を交流電圧に変換しこれによって放電ランプのＡＣ駆動を行うＡＣ駆動回路５０と、各回路を制御する制御部６０と、放電ランプの起動時に高電圧を放電ランプに印加するイグナイタ回路７０と、放電ランプ８０とを含む。好ましくは、ランプ点灯装置は、液晶デバイスやＤＬＰデバイスを利用したプロジェクタの光源部に用いられ、放電ランプには、キセノンランプ、メタルハライドランプ、超高圧水銀ランプなど使用される。
【００３０】
電力供給回路３０は、ＭＯＳトランジスタ３１、パルストランス３２、ダイオード３３、インダクター（コイル）３４、コンデンサ３５等を含む。ＭＯＳトランジスタ３１のゲートはパルストランス３２の二次側コイルに接続され、その一次側コイルはＰＷＭ制御回路３０のＰＷＭ出力信号４１に接続される。ＰＷＭ出力信号４１から出力されるパルス信号に応答してＭＯＳトランジスタ２１のオン・オフが制御され、直流電圧の降圧が行われる。インダクター３４及びコンデンサ３５は、変圧された直流電圧から脈動する成分を取り除き平滑化された直流電圧を供給する。
【００３１】
ＰＷＭ制御回路４０は、コントロールユニット４２、電力演算回路４３、増幅回路４４を含む。コントロールユニット４２は、スイッチＳＷ１を閉じることによって動作を開始し、スイッチＳＷ１は制御部６０からの制御信号６１によって制御される。増幅回路４４の入力は、電流検出用の抵抗Ｒ１の一端に接続され電力供給回路３０におけるランプ電流を検知し、これを電力演算回路４３へ出力する。また電力演算回路４３の他方の入力には、電源ライン間を抵抗Ｒ２、Ｒ３で分割して検出されたランプ電圧が入力される。コントロールユニット４２は、電力演算回路４３によって演算された電力情報に基づき放電ランプ８０の動作に必要な電力が供給されるように電力供給回路３０を制御する。
【００３２】
ＡＣ駆動回路５０は、電力供給回路３０に接続され、直流電圧を交流電圧に変換するためのＣＭＯＳトランジスタＱ１、Ｑ２とＱ３、Ｑ４とを有する。ＣＭＯＳトランジスタＱ１、Ｑ２と、ＣＭＯＳトランジスタＱ３、Ｑ４により一対のＣＭＯＳインバータを構成し、それらのゲート電極は制御部６０からの駆動信号６４を介して相補的に駆動される。従って、トランジスタＱ１、Ｑ４がオンするときトランジスタＱ２、Ｑ３がオフであり、反対にトランジスタＱ２、Ｑ３がオンするとき、トランジスタＱ１、Ｑ４がオフである。こうして電力供給回路３０からの直流電圧は各インバータによって交流電圧に変換され、放電ランプ８０に印加される。直流−交流の変換周波数は制御部６０からの駆動信号のパルス周波数を可変することによって任意に選択することが可能である。
【００３３】
制御部６０は、スイッチＳＷ１のオン、オフを制御する制御信号６１、コンバータ同期信号６３に基づきＡＣ駆動回路５０を駆動制御する駆動信号６４とを出力する。さらに制御部６０は各部の動作を制御するためのタイマー回路、シーケンス回路等を含む。
【００３４】
各インバータの出力は、イグナイタ回路７０に接続される。イグナイタ回路７０は、放電ランプ８０の起動（着火）時に高電圧を発生させるパルストランス２７４、２７８およびその他の回路素子を含み、また、放電ランプ８０のＡＣ駆動時に交流電流を放電ランプ８０に供給するための電流通路２７９を含む。
【００３５】
本実施の形態では、放電ランプ８０に直列接続されたパルストランス２７８の二次側インダクターＬａに直列に接続される抵抗ｒを付加し、放電ランプ８０のＡＣ駆動時におけるＲＬ直列回路の過渡応答を速くさせる。上述したようにＲＬ直列回路の時定数をＴ＝Ｌ／ｒとすることで、放電ランプ８０に印加される交流駆動電流の立上がり及び立下りを急峻にすることが可能である。時定数Ｔは、本発明者による実験的及び経験則から２０μ秒以下であることが望ましく、インダクターＬａと抵抗ｒを適宜選択することで時定数を決定する。
【００３６】
イグナイタ回路７０は、好ましくは絶縁性の樹脂等（例えばシリコンコンパウンド）によってポッテイングされ、外部と電気的に絶縁される。あるいは図２の破線で示すように、選択的にコイル２７８を含む部分をポッテイングして樹脂コンパウンド部分（樹脂ポッテイング部分）２７８ａを形成するようにしても良い。
【００３７】
抵抗ｒは、絶縁性樹脂材でポッテイングされた部分２７８ａ内に挿入することができる。この場合、インダクターＬａと個別に抵抗ｒを設けることも可能であるが、インダクターＬａの巻線を調整しその巻線の内部抵抗値から得られる抵抗を抵抗ｒとしても良い。抵抗ｒは、ランプ電流の通電時に発熱し、その発熱量が大きいと樹脂コンパウンド部分２７８ａに熱的原因によってクラック等を引き起こすおそれがある。このため、抵抗ｒは比較的小さな値を選択する必要があり、好ましくは、通常０．２オーム程度であり、少なくとも１オーム以下が望ましい。イグナイタ回路７０のその他の構成は図９のものと基本的に同じである。
【００３８】
次に、本実施の形態に係るランプ駆動装置の動作を説明する。放電ランプ８０に高電圧が印加される前、スイッチＳＷ１は開いた状態にある。交流電源１０からの交流電圧が整流・平滑化回路２０により直流電圧に変換され、制御部６０からの制御信号６１によりスイッチＳＷ１がオンされると、ＰＷＭ制御回路４０からＰＷＭ出力信号４１がパルストランス３２へ出力され、これによってＭＯＳトランジスタ３１のオン・オフが制御される。電力供給回路３０からは約２５０−３７０ボルトの直流電圧が供給され、このときＡＣ駆動回路５０は、制御部６０によりトランジスタＱ２、Ｑ３をオン状態にされる。そしてイグナイタ回路７０のトランス２７４、２７８によって１０キロ−２０キロボルトの高電圧が発生され、放電ランプ８０がグロー放電を開始する。
【００３９】
電力演算回路４３によりランプ動作電圧Ｐ３が検出されると、ＰＷＭ出力信号４１によりＭＯＳトランジスタ３１が制御され、電力供給回路３０から降圧された直流電圧が供給される。放電初期時はランプ動作電圧が低いためランプが安全に動作できる電流制御を行い、その後、温度上昇と共にランプ動作電圧が上昇（例えば６５ボルト）した時点で電力（ワット）制御に切り替える。他方、制御部６０は駆動信号６４によりＡＣ駆動回路５０のインバータ駆動を開始させ、直流電圧を交流電圧に変換させる。これによってＡＣ駆動回路５０の出力端から電流通路２７９を介して放電ランプ８０の電極間に交番電流あるいは交番電圧が印加される。このとき、トリガー素子２７３はしきい値電圧を２００ボルト程度としているため、トリガー素子２７３は動作せず、ＡＣ駆動回路５０からの交流電流がトランス２７４側へ流れ込むことはない。
【００４０】
以上のようにインダクターＬａに抵抗ｒを直列に接続させたことで時定数を小さくし、放電ランプ８０の交流駆動電流の過渡応答を速くすることができる。言い換えれば、交流駆動される放電ランプの交流電流の立上り及び立下りを急峻にし、従来の図１０に示すような期間Ｔｄを小さくすることができる。
【００４１】
上記実施の態様は、インダクターＬａが電流通路２７９に含まれる場合を示したが、インダクターはこれに限らず電流通路２７９に含まれる複数のインダクターであっても良い。図３は、イグナイタ回路７０の電流通路２７９内にインダクターＬｂを接続した例である。インダクターＬｂは、放電ランプ８０のＡＣ駆動時に電流の戻りを抑制して電力を蓄積し放電ランプ８０が消えにくくさせるものである。この場合にも、時定数Ｔ＝（Ｌａ＋Ｌｂ）／ｒを２０マイクロ秒以下にすることが望ましい。図４は、さらにノイズ除去用の一対のインダクターＬｃをＡＣ駆動回路５０の出力端とイグナイタ回路７０の間に設けたものである。図３及び図４に示すようなインダクターＬｂ、Ｌｃが電流通路２７９に含まれる回路においても本発明が有効に作用することは言うまでもない。さらに、上記以外のインダクターとして共振用インダクターや飽和インダクターを含むものであっても良い。
【００４２】
次に本発明の第２の実施の形態に係るランプ点灯装置について説明する。本実施の形態に係るイグナイタ回路７０は、図５に示すように、樹脂コンパウンド２７８ａの外部に外付けの外部抵抗Ｒを付加する。樹脂コンパウンド２７８ａ内の抵抗ｒが大きいと、その発熱量（Ｗ＝Ｉ２ｒ）が大きくなり、絶縁材でポッテイングされたコイルでは放熱の問題や、温度上昇による熱膨張係数の差から絶縁材にクラックを生じさせ絶縁材を劣化させるという問題を引き起こす。そこで、本実施の形態では、樹脂コンパウンド２７８ａの外部に外付けの抵抗Ｒを直列に接続する。
【００４３】
外付けの外部抵抗Ｒを付加することで、時定数はＴ＝Ｌ／（Ｒ＋ｒ）となり、より時定数を小さくすることで過渡応答を速くすることができ、その一方で樹脂コンパウンド２７８ａにおける抵抗の発熱の問題を回避することができる。なお、内部抵抗ｒは、巻線の内部抵抗を用いることができる。あるいは抵抗ｒを除去し外部抵抗Ｒのみを用いるようにすることも可能である。本実施の形態では、外部抵抗Ｒを約２オーム、内部抵抗ｒを約０．２オームにする。好ましくは外部抵抗の抵抗値を内部抵抗の抵抗値の少なくとも１０倍以上にする。
【００４４】
本発明の第３の実施の形態に係るイグナイタ回路を図６に示す。本実施の形態では、第２の実施の形態における外付け抵抗Ｒと並列にスイッチＳＷ２を接続する。スイッチＳＷ２は、初期点灯時からランプ電流が安定するまで閉じられ、この間外部抵抗Ｒをショートさせる。次にランプ電流が安定したら、スイッチＳＷ２は図７（ｂ）に示すようにランプの交流電圧の立上り及び立下りの過渡期間に同期して開かれ、その期間だけ外部抵抗Ｒに電流を流させ、抵抗Ｒを作用させる。これにより、時定数がＴ＝Ｌ／（ｒ＋Ｒ）となり、ランプ電流の立下りおよび立上りが速くなる。過渡時のみ外部抵抗Ｒに電流を流すことで抵抗による発熱量を抑制することができ、定格電力の小さな抵抗を用いることができ、装置を小型化、安価にすることができる。
【００４５】
ランプ電圧は、図７(ａ)に示すように過渡時に一定期間オフとなる期間Ｔｏｆｆを含む。これは、ＡＣ駆動回路５０がインバータの貫通電流を防止するためにトランジスタＱ１ないしＱ４をすべて一定期間オフにするためである。このため、スイッチＳＷ２がオフする期間すなわち外部抵抗Ｒがオンする期間Ｔｏｎは、Ｔｏｆｆよりも大きくすることの望ましく、少なくとも期間Ｔｏｆｆを含む期間において外部抵抗Ｒを時定数に寄与させることができる。
【００４６】
スイッチＳＷ２は、半導体スイッチング素子を用いても良く、例えばＧＴＯサイリスタ（ゲート・ターンオフ・サイリスタ）を用いることが望ましい。制御部６０からの制御パルス信号をＧＴＯサイリスタのゲートに印加し、過渡期間に同期させてサイリスタをオン・オフさせることができる。あるいは、サイリスタに代えて他のスイッチング素子（バイポーラトランジスタやＭＯＳトランジスタ）を用いることも可能である。
【００４７】
また、図７(ａ)の波線はランプ電流を示し、ＡＣ駆動に際して電流通路２７９内に含まれるインダクターのインダクタンスを適切な値にすることで、電流の立上りおよび立下りを滑らかにし、電流のオーバーシュート、アンダーシュート、リンギングを抑制することができる。例えば、インダクターＬａやＬｂの鉄心を移動させてインダクタンスを調整するようにしても良いし、あるいはインダクターと並列にスイッチを接続しＡＣ駆動時のみ作動するインダクターを設けても良い。この場合、好ましくはランプの定格電流の２／３程度で飽和する飽和インダクターが望ましい。
【００４８】
図５および図６に示す実施の形態において、電流通路２７９内にインダクターＬｂを介在させてが、必要に応じてインダクターＬｂを除去することも可能である。あるいは、図４に示すようなインダクターＬｃを単独で用いることもインダクターＬｂと共に用いることも可能である。
【００４９】
上記第１ないし第３の実施の形態では、イグナイタ回路７０に抵抗ｒあるいは抵抗Ｒを付加した例を示したが、これらの抵抗ｒあるいは抵抗Ｒは、必ずしもイグナイタ回路内に配置される必要はない。これらの抵抗は、ＡＣ駆動に際してランプに電流が印加される電流通路内にあれば、本質的に本発明の作用効果を奏するものである。さらに、本実施の形態で用いたイグナイタ回路７０は一つの構成例であり、必ずしもこのような構成に限定されるものではない。インダクターについても同様に必ずしもイグナイタ回路内に配置される必要はなく、ランプに接続された電流通路内にあればよい。
【００５０】
例えば、ＡＣ駆動回路５０において直流電圧を交流電圧に変換するＭＯＳトランジスタＱ１、Ｑ３の導通時のオン抵抗を適切な値に選定することも可能である。例えば、トランジスタＱ１、Ｑ３のオン抵抗をｒ１とすることで、時定数をＴ＝Ｌ／ｒ１とすることも可能である。あるいは、樹脂コンパウンド２７８ａ内の抵抗ｒや外部抵抗Ｒと直列接続させることで、Ｔ＝Ｌ／（ｒ１＋ｒ）、Ｔ＝Ｌ／（ｒ１＋Ｒ）、あるいはＴ＝Ｌ／（ｒ１＋ｒ＋Ｒ）とすることも可能である。勿論、外部抵抗ＲをスイッチＳＷ２と並列接続させてもよい。
【００５１】
以上のような実施の形態に係るランプ点灯装置を液晶デバイスやＤＭＤ等を用いたプロジェクタの光源に適用することができる。その場合、次のような効果が期待できる。
【００５２】
過渡応答を速くすることでＡＣ駆動回路の駆動周波数を高周波化することが可能となり、プロジェクタのカラーホイールとの同期あるいは他の画像処理信号の処理時間等との同期を必ずしも取る必要がなくなる。このため、ランプのフリッカー、アークジャンプ、電極磨耗、ランプ寿命等を考慮した最適な周波数を用いてランプ駆動を行うことが可能となる。これによって、プロジェクタは、ランプの光量のチラツキを抑制し、鮮明な投射画像を表示することが可能となる。
【００５３】
以上、本発明の好ましい実施の形態について詳述したが、本発明は係る特定の実施形態に限定されるものではなく、特許請求の範囲に記載された本発明の要旨の範囲内において、種々の変形・変更が可能である。例えば、ＡＣ駆動回路と放電ランプ間の電流通路内にあるインダクターは、必ずしも上記実施の形態の構成に限られるものではなく、高電圧発生用インダクターやノイズ除去用インダクター以外にも共振回路を構成する共振用インダクターであっても良く、さらに複数のインダクターがある場合に、それらの一部若しくはすべてを短絡させたり、可変させたりしても良い。インダクターを短絡させたり、可変するタイミングは、必ずしもすべてのインダクターにおいて同時に行う必要はなく、個別のタイミングで行っても良い。そのタイミングは制御部のタイマーにより管理しても良いし、あるいはランプ動作電圧を検出して行ってもよい。さらに、実施の形態では、ノイズ除去のためのインダクターＬｃを形式的にＡＣ駆動回路やイグナイタ回路から分離させているが、これはＡＣ駆動回路に含めても良いし、あるいはイグナイタ回路に含めても良い。
【００５４】
【発明の効果】
本発明によれば、ランプ点灯装置においてランプの交流駆動時にランプに交流電圧を印加する電流通路内に少なくとも１つのインダクターとこれに直列に接続された少なくとも１つの抵抗とを介在させたことにより、ランプの交流駆動時の過渡応答を速くし、ランプ駆動電流の立上りおよび立下りを急峻にすることができ、また駆動電流のオーバーシュートやリンギング等を軽減することができる。これによって、ランプを高周波化して駆動することが可能となり、ランプ光量のチラツキや明暗を抑制することができる。さらに、このようなランプ点灯装置をプロジェクタに用いることで、鮮明なチラツキの少ない投射映像を得ることができる。また、ランプのＡＣ駆動周波数は、例えばカラーフィルターや映像信号の処理時間と必ずしも同期を取る必要がなくなり、プロジェクタ用ランプ点灯装置として幅広い用途での使用が可能となる。
【図面の簡単な説明】
【図１】図１は本発明の基本的概念を説明する図である。
【図２】図２は本発明の第１の実施の形態に係るランプ点灯装置の回路構成を示す図である。
【図３】図３は図２のイグナイタ回路の変形例を示す回路図である。
【図４】図４は第２のイグナイタ回路の変形例を示す回路図である。
【図５】図５は本発明の第２の実施の形態に係るランプ点灯装置の回路構成を示す図である。
【図６】図６は本発明の第３の実施の形態に係るランプ点灯装置の回路構成を示す図である。
【図７】図７は図６に示すランプ点灯装置の動作を説明する図である。
【図８】図８は従来のランプ点灯装置の一構成例を示すブロック図である。
【図９】図９は図８のイグナイタ回路の一構成例を示す回路図である。
【図１０】図１０は従来のランプ点灯装置のランプ電流の動作波形を示す図である。
【符号の説明】
２０：整流・平滑化回路、            ３０：電力供給回路、
４０：ＰＷＭ制御回路、              ５０：ＡＣ駆動回路、
６０：制御回路、                    ７０：イグナイタ回路、
８０：放電ランプ、                  ２７３、２７８：トランス
２７８ａ：樹脂コンパウンド、        ２７９：電流通路、
Ｌａ、Ｌｂ、Ｌｃ：インダクター、    ｒ、Ｒ：抵抗（外部抵抗）
【図１】
0004265732.tif 000006
【図２】
0004265732.tif 000007
【図３】
0004265732.tif 000008
【図４】
0004265732.tif 000009
【図５】
0004265732.tif 000010
【図６】
0004265732.tif 000011
【図７】
0004265732.tif 000012
【図８】
0004265732.tif 000013
【図９】
0004265732.tif 000014
【図１０】
0004265732.tif 000015